(57)【要約】【課題】ユーザの見たい番組をより確実に録画予約する。【解決手段】番組の放送信号を受信する受信部１１、受信した番組情報をハードディスクに録画するＨＤドライブ１５、放送番組の番組ガイド情報を取得するＥＰＧ取得部２２、録画履歴記憶部２３等を備えており、コントローラ１４は、ユーザが普段視聴している番組が録画予約されているか否かの判断を、録画履歴記憶部２３に記憶されている録画履歴に基づいて行う。そして、過去に録画した番組が本日放送される場合において、当該番組がまだ録画予約されていない場合には、当該番組の録画予約を行うか否かを問い合わせる問い合わせメッセージをテレビジョン受信装置１００のモニタ画面に表示し、または、テレビジョン受信装置１００に内蔵されたスピーカからアラーム音を出力することでユーザに通知する。【選択図】図１
2007228126.tif 000002
【特許請求の範囲】
【請求項１】
番組の放送信号を受信する受信手段と、受信した番組情報をハードディスクに録画する録画制御手段とを備えた録画予約機能を有する録画装置において、
放送番組の番組ガイド情報を取得する取得手段と、
視聴履歴を保存する視聴履歴保存手段と、
番組の録画予約を行うか否かの問い合わせメッセージを特定の携帯端末に送信する送信手段と、
前記携帯端末からの録画予約指示を受信する第２受信手段とを備えており、
前記録画制御手段は、前記視聴履歴に基づき、過去の視聴回数が予め設定された一定回数以上視聴されている番組について、録画予約されていない場合には、前記送信手段により前記携帯端末に対して問い合わせメッセージを送信し、これに対する前記携帯端末からの録画予約指示を前記第２受信手段にて受信した場合には、当該番組の録画予約を行うことを特徴とする録画装置。
【請求項２】
番組の放送信号を受信する受信手段と、受信した番組情報を録画媒体に録画する録画制御手段とを備えた録画予約機能を有する録画装置において、
放送番組の番組ガイド情報を取得する取得手段と、
番組の録画予約を行うか否かをユーザに問い合わせる問合手段とを備えており、
前記録画制御手段は、ユーザが普段視聴している番組が録画予約されているか否かを判断し、録画予約されていない場合には、前記問合手段により当該番組の録画予約を行うか否かを問い合わせることを特徴とする録画装置。
【請求項３】
録画履歴を保存する録画履歴保存手段をさらに備えており、
前記録画制御手段は、ユーザが普段視聴している番組が録画予約されているか否かの判断を前記録画履歴に基づいて行うことを特徴とする請求項２に記載の録画装置
【請求項４】
前記録画制御手段は、前記録画履歴に基づき、過去に録画した番組については前記問合手段により当該番組の録画予約を行うか否かを問い合わせることを特徴とする請求項３に記載の録画装置。
【請求項５】
視聴履歴を保存する視聴履歴保存手段をさらに備えており、
前記録画制御手段は、ユーザが普段視聴している番組が録画予約されているか否かの判断を前記視聴履歴に基づいて行うことを特徴とする請求項２に記載の録画装置
【請求項６】
前記録画制御手段は、前記視聴履歴に基づき、過去の視聴回数が予め設定された一定回数以上視聴されている番組については前記問合手段により当該番組の録画予約を行うか否かを問い合わせることを特徴とする請求項５に記載の録画装置。
【請求項７】
前記録画制御手段は、前記取得手段により取得した番組ガイド情報に基づき、新規に放送が開始される番組について、録画予約されていない場合には、前記問合手段により当該番組の録画予約を行うか否かを問い合わせることを特徴とする請求項２に記載の録画装置。
【請求項８】
前記録画媒体が、ハードディスク、デジタルディスク、またはビデオカセットレコーダである請求項１ないし請求項７のいずれかに記載の録画装置。
【請求項９】
前記問合手段が、特定の携帯端末に問い合わせメッセージを送信する送信手段であることを特徴とする請求項２ないし請求項８のいずれかに記載の録画装置。
【請求項１０】
前記問合手段が、電子音等による報知手段であることを特徴とする請求項２ないし請求項８のいずれかに記載の録画装置。
【発明の詳細な説明】
【技術分野】
【０００１】
本発明は、放送番組の情報をデジタル化して録画媒体に録画するとともに、録画した番組情報を再生して出力する録画装置に係り、より詳細には、ユーザの見たい番組をより確実に録画予約することが可能な録画装置に関する。
【背景技術】
【０００２】
従来から、放送番組の視聴や録画予約を逃さないように工夫された装置等が種々提案されている（例えば、特許文献１〜３等参照）。
【０００３】
特許文献１のＴＶ番組予約システムは、ユーザの視聴番組履歴情報を蓄積するデータ蓄積部及び番組予約登録部を有するＴＶ放送受信機と、データ蓄積部より転送される視聴番組履歴情報を受信する受送信部、受信した番組情報を表示する液晶表示部及び番組予約指示部を有する携帯端末電話機とからなり、ＴＶ放送受信機のデータ蓄積部に蓄積されている視聴番組履歴情報を携帯端末電話機に送信し、携帯端末電話機の液晶表示部に表示された視聴番組履歴情報に基づきユーザが希望する番組をＴＶ放送受信機側に送信することで、番組の録画予約が行えるようになっている。
【０００４】
また、特許文献２のデジタル放送受信装置は、番組選択履歴に基づいて定期的に視聴されている番組を抽出し、この番組を「定期的に見る番組」として不揮発性メモリに格納し、「定期的に見る番組」については、その放送予定日をＥＰＧ機能によって取得して現在日時との比較を行い、日が一致する場合には、定期的に見る番組が今日放送されることを利用者に提示すべく、ＯＳＤ表示回路にて生成した文字メッセージをＣＲＴにて画面出力するようになっている。
【０００５】
また、特許文献３のテレビジョン受像機は、視聴者が視聴した番組の視聴履歴データを視聴履歴記録部に記録し、視聴者が番組を視聴する際に、現在視聴している該番組を示す番組名が、視聴履歴記録部に記録されていた視聴履歴データのうち、現在時刻と同じ時刻を含む時間帯において過去に視聴していた番組を示す視聴履歴データの番組名と異なっている場合には、過去と異なる番組を視聴している旨を画像モニタ部や音声モニタ部を介して警告通知するようになっている。
【特許文献１】特開２００１−１０３４０６号公報
【特許文献２】特開２００２−２９０８６２号公報
【特許文献３】特開２００５−３９６８１号公報
【発明の開示】
【発明が解決しようとする課題】
【０００６】
上記特許文献１のＴＶ番組予約システムによれば、ＴＶ放送受信機内に蓄積された視聴番組履歴情報をユーザの携帯端末電話機に転送することにより、ユーザは事前に番組を確認でき、希望する番組を簡単に予約することができる。しかし、このシステムは、ＴＶ放送受信機内に蓄積された視聴番組履歴情報を全てユーザの携帯端末電話機に転送する構成であるため、ユーザは、膨大な視聴番組履歴情報の中から録画予約を希望する番組を見つけ出す必要があり、録画予約に時間がかかるといった問題があった。また、このシステムは、すでに録画予約されているか否かを判断することなく、視聴番組履歴情報をユーザの携帯端末電話機に転送する構成であるため、ユーザが選択した番組がすでに録画予約されている場合もあり、この場合には重複した無駄な録画予約を行うことになるといった問題もあった。
【０００７】
また、上記特許文献２のデジタル放送受信装置及び特許文献３のテレビジョン受像機によれば、利用者が定期的に視聴する番組を見逃してしまうのを回避することができるが、録画予約については全く考慮されていないため、録画予約されている番組についても文字メッセージや音声による報知を行ってしまうことになる。さらに、ＣＲＴに文字メッセージを表示したり、音声による報知を行っても、そのときにユーザが外出している場合には、その文字メッセージや音声による報知が無駄になってしまい、結局は番組を見逃してしまうといった問題もあった。
【０００８】
本発明はかかる問題点を解決すべく創案されたもので、その目的は、ユーザの見たい番組をより確実に録画予約することが可能な録画装置を提供することにある。
【課題を解決するための手段】
【０００９】
上記課題を解決するため、本発明の録画装置は、番組の放送信号を受信する受信手段と、受信した番組情報を録画媒体に録画する録画制御手段とを備えた録画予約機能を有する録画装置において、放送番組の番組ガイド情報を取得する取得手段と、番組の録画予約を行うか否かをユーザに問い合わせる問合手段とを備えており、前記録画制御手段は、ユーザが普段視聴している番組が録画予約されているか否かを判断し、録画予約されていない場合には、前記問合手段により当該番組の録画予約を行うか否かを問い合わせることを特徴とする。ここで、録画媒体としては、ハードディスク、デジタルディスク、またはビデオカセットレコーダなどを用いることが可能である。
【００１０】
このような特徴を有する本発明によれば、ユーザが普段視聴している番組が録画予約されているか否かをまず判断し、録画予約されていないと判断した場合にのみ、問合手段により当該番組の録画予約を行うか否かを問い合わせる構成としたので、すでに録画予約されている番組を重複して録画予約してしまうといった無駄な操作を防止することができるとともに、ユーザの見たい番組を確実に録画することができる。
【００１１】
この場合、本発明の録画装置は、録画履歴を保存する録画履歴保存手段をさらに備えており、前記録画制御手段は、ユーザが普段視聴している番組が録画予約されているか否かの判断を前記録画履歴に基づいて行う構成としてもよい。具体的には（４）、前記録画制御手段は、前記録画履歴に基づき、過去に録画した番組については前記問合手段により当該番組の録画予約を行うか否かを問い合わせるように構成することができる。
【００１２】
このように、過去に録画した番組についてのみ問い合わせを行うことで、例えばシリーズものの番組を確実に録画することが可能となる。
【００１３】
また、本発明の録画装置は、視聴履歴を保存する視聴履歴保存手段をさらに備えており、前記録画制御手段は、ユーザが普段視聴している番組が録画予約されているか否かの判断を前記視聴履歴に基づいて行う構成としてもよい。具体的には、前記録画制御手段は、前記視聴履歴に基づき、過去の視聴回数が予め設定された一定回数（例えば、３回等）以上視聴されている番組については前記問合手段により当該番組の録画予約を行うか否かを問い合わせるように構成することができる。
【００１４】
このように、過去に何回か視聴している番組については、ユーザがその後も視聴するために録画しようと考える可能性が高いが、本発明によればこのような場合の録画予約を確実に行うことができる。
【００１５】
また、本発明によれば、前記録画制御手段は、前記取得手段により取得した番組ガイド情報に基づき、新規に放送が開始される番組について、録画予約されていない場合には、前記問合手段により当該番組の録画予約を行うか否かを問い合わせるように構成してもよい。
【００１６】
新規に始まる番組については、新聞の番組欄等を見て初めて気付く場合がほとんどであり、ユーザは見逃してしまう可能性があるので、このような場合に、新規番組が始まることを録画予約の問い合わせという形でユーザに提示することで、番組の見逃し、ひいては録画のし忘れを防止することが可能となる。
【００１７】
また、本発明によれば、前記問合手段が、番組の録画予約を行うか否かの問い合わせメッセージを特定の携帯端末に送信する送信手段と、前記携帯端末からの録画予約指示を受信する第２受信手段とを備えており、前記録画制御手段は、前記視聴履歴に基づき、過去の視聴回数が予め設定された一定回数（例えば、３回等）以上視聴されている番組について、録画予約されていない場合には、前記送信手段により前記携帯端末に対して問い合わせメッセージを送信し、これに対する前記携帯端末からの録画予約指示を前記第２受信手段にて受信した場合には、当該番組の録画予約を行うように構成してもよい。これにより、その番組の放送時間帯にユーザが外出している場合であっても、その番組を確実に録画することが可能となる。
【００１８】
なお、問合手段としては、上記のような特定の携帯端末に送信する送信手段に限らず、装置本体に内蔵された報知手段（例えば、電子ブザー等）によるアラーム報知であってもよい。
【発明の効果】
【００１９】
本発明によれば、ユーザが普段視聴している番組が録画予約されているか否かをまず判断し、録画予約されていないと判断した場合にのみ、問合手段により当該番組の録画予約を行うか否かを問い合わせる構成としたので、すでに録画予約されている番組を重複して録画予約してしまうといった無駄な操作を防止することができるとともに、ユーザの見たい番組を確実に録画することができる。
【００２０】
また、本発明によれば、ユーザが普段視聴している番組が録画予約されているか否かの判断を録画履歴に基づいて行う構成としたので、過去に録画した番組についてのみ問い合わせを行うことができ、例えばシリーズものの番組を確実に録画する場合などの有効である。
【００２１】
また、本発明によれば、ユーザが普段視聴している番組が録画予約されているか否かの判断を視聴履歴に基づいて行う構成としたので、過去に何度も視聴した番組についてのみ問い合わせを行うことができ、ユーザが視聴したいと考えている可能性の高い番組の録画予約を確実に行うことができる。
【発明を実施するための最良の形態】
【００２２】
以下、本発明の実施の形態について、図面を参照して説明する。
【００２３】
＜実施形態１＞
図１は、本発明の録画装置の実施形態１に係るＨＤ（ハードディスク）レコーダ１の電気的構成を示すブロック図である。ただし、本発明の録画装置は、このようなＨＤレコーダに限定されるものではなく、例えばＤＶＤレコーダやビデオカセットレコーダ等にも適用可能である。
【００２４】
図１に示すＨＤレコーダ１は、受信部１１、入力制御部１２、Ａ／Ｄ変換部１３、コントローラ１４、ＨＤドライブ１５、Ｄ／Ａ変換部１６、出力制御部１７、入力部１８、送受信部１９、メモリ部２０、時計部２１、ＥＰＧ取得部２２、及び録画履歴記憶部２３等を備えて構成されている。
【００２５】
入力部１８は、スイッチ、ボタン或いはリモコン等から構成され、ユーザの操作内容に応じた信号をコントローラ１４へ出力する。これにより、ユーザは、種々のデータをＨＤレコーダ１に入力することができ、ＨＤレコーダ１を操作して使用することができる。
【００２６】
受信部１１は、チューナや分離器を備えて構成されており、アンテナ６を介して番組の放送信号を受信し、この放送信号を入力制御部１２へ送信する。放送信号はアナログ信号またはデジタル信号であり、音声信号と映像信号とを含んで構成されている。
【００２７】
入力制御部１２は、受信部１１で受信された放送信号から音声信号と映像信号を抽出する。Ａ／Ｄ変換部１３は、上記放送信号がアナログ信号である場合には入力制御部１２で抽出された映像信号及び音声信号をＭＰＥＧ２（Ｍｏｔｉｏｎ  ＰｉｃｔｕｒｅＥｘｐｅｒｔ  Ｇｒｏｕｐ  ２）によりエンコード（圧縮）してコントローラ２４に出力する。一方、上記放送信号がデジタル信号である場合には、映像信号及び音声信号は既にＭＰＥＧ２でエンコードされているので、これら映像信号及び音声信号をそのままコントローラ１４に送信する。
【００２８】
コントローラ１４は、ＣＰＵ１４ａ、ＲＡＭ１４ｂ、ＲＯＭ１４ｃを備えて構成されている。コントローラ１４は録画制御手段であり、図示しないハードディスクに対する音声信号及び映像信号の読み取り、書き込み、録画予約の設定等を含め、ＨＤレコーダ１の各構成要素を制御する。
【００２９】
ＲＯＭ１４ｃには、ＨＤレコーダ１全体を制御するためのプログラムが格納されている。ＣＰＵ１４ａはＲＯＭ１４ｃに格納されたプログラムや入力部１８からの信号に従い、ＨＤレコーダ１の各構成要素を制御するための演算を行なう。ＲＡＭ１４ｂはＣＰＵ１４ａが演算を行うための作業領域として動作する。
【００３０】
ＨＤドライブ１５は、コントローラ１４とともに読み取り手段及び書き込み手段を形成する構成要素であり、録画媒体であるハードディスクと、ハードディスクに録画（記録）されている情報の読み取り、書き込みを行うためのヘッドとを備えて構成されている。
【００３１】
Ｄ／Ａ変換部１６は、ハードディスクに記憶された映像信号及び音声信号を再生する際、コントローラ１４を介してこれらの信号をデコード（伸張）し、アナログ信号に変換して出力制御部１７に出力する。さらに出力制御部１７は、Ｄ／Ａ変換部１６で変換された映像信号及び音声信号をテレビジョン受信装置１００に出力し、テレビジョン受信装置１００の図示しないモニタ画面に映像を表示し、内部スピーカから音声を出力する。
【００３２】
メモリ部２０は、コントローラ１４での書き込み処理時や読み取り処理時に映像信号（映像データ）を一旦格納するバッファである。送受信部１９は、図示しない固定電話網や携帯電話網を介して特定の携帯端末Ａとの間で送受信を行う。
【００３３】
時計部２１は、現在時刻（年月日、曜日及び時刻）を計測する。ＥＰＧ取得部２２は、放送信号に重畳されている文字信号を抽出し、この文字信号を収集してＥＰＧ（番組ガイド情報）を取得する。
【００３４】
録画履歴記憶部２３は、ユーザにより過去に録画が行われた番組の録画情報を記憶する。この録画履歴記憶部２３は、不揮発性メモリである例えばＥＥＰＲＯＭやフラッシュメモリによって構成されている。
【００３５】
上記構成において、番組の放送信号はアンテナ６、受信部１１を経て取得される。さらに入力制御部１２で番組の放送信号から映像信号及び音声信号が抽出される。抽出された番組の映像信号及び音声信号はＡ／Ｄ変換部１３、コントローラ１４及びＨＤドライブ１５を経てハードディスクに書き込まれ、録画される。
【００３６】
以上が、本実施形態のＨＤレコーダ１の基本的な構成及びコントローラ１４の基本的な録画動作であるが、本実施形態では、このような録画動作を行うための録画予約機能に特徴を有している。すなわち、本実施形態では、コントローラ１４は、ユーザが普段視聴している番組が録画予約されているか否かを判断し、録画予約されていない場合には、当該番組の録画予約を行うか否かをユーザに問い合わせるようになっている。以下、このような録画予約の問い合わせ動作について、具体的に実施例を挙げて説明する。
【実施例１】
【００３７】
本実施例１は、ユーザが普段視聴している番組が録画予約されているか否かの判断を録画履歴に基づいて行う実施例である。
【００３８】
図２は、録画履歴記憶部２３に記憶されている録画履歴情報のデータ構成例を示している。録画履歴情報は、録画番組の番組名、及び録画日時の情報からなっており、録画日時の情報は、年月日、曜日及び録画時間帯（開始時刻と終了時刻）からなっている。
【００３９】
コントローラ１４は、録画が行われるたびに、上記の録画履歴情報を録画履歴記憶部２３に記憶していく。この場合、連続ドラマ等を録画している場合には、同じ番組名（例えば、番組名Ａ）の録画履歴が多数記憶されることになる。ただし、番組名が同じものについては、録画日時が異なっていても、曜日は同じであるので、最新の録画情報に上書きするようにしてもよい。
【００４０】
次に、図２に示す録画履歴記憶部２３の録画履歴情報を用いた本実施例１の録画予約の問い合わせ動作について、図３に示すフローチャートを参照して説明する。
【００４１】
コントローラ１４は、本装置の電源オフ状態であっても、時計部２１による計測年月日、曜日及び時刻の情報を常に取得している。そして、まずその取得情報の中の曜日と、録画履歴記憶部２３に記憶されている過去の録画番組の曜日との比較を行うことによって、同じ曜日の番組が過去に録画されているか否かを確認する（ステップＳ１）。
【００４２】
その結果、同じ曜日の番組が過去に録画されている場合（ステップＳ１でＹｅｓと判断された場合）には、次に、その同じ番組が今回も録画予約されているか否かを確認する（ステップＳ２）。
【００４３】
例えば、時計部２１による計測年月日、曜日及び時刻が、「２００５年１２月２８日（水曜日）、１２：００」であった場合、録画履歴記憶部２３には、録画日が水曜日の番組（番組名Ｂ）が録画されている。従って、ステップＳ１での判断はＹｅｓとなる。
【００４４】
ここで、この番組名Ｂの番組が、この時点でまだ録画予約されていない場合には、ステップＳ２での判断がＮｏとなるため、コントローラ１４は、次に、現在時刻がその番組の放送開始時刻より一定時間（例えば３時間等）前になったか否かを監視する（ステップＳ３）。すなわち、現在時刻は１２：００であり、番組名Ｂの番組の放送開始時刻は１７：００であるので、その時間差は５時間であり、一定時間である３時間より前である。従って、コントローラ１４は、番組名Ｂの番組が録画予約されるか、または現在時刻が番組名Ｂの番組の放送開始時刻の一定時間前になるまで、ステップＳ２，ステップＳ３の処理を繰り返す。
【００４５】
そして、放送開始時刻の一定時間前になるまでにユーザによって同じ番組の録画予約が設定された場合（ステップＳ２でＹｅｓと判断された場合）には、処理を終了する。
【００４６】
一方、録画予約されることなく一定時間前になると（ステップＳ３でＹｅｓと判断されると）、コントローラ１４は、同じ番組の録画予約を行うか否かをユーザに問い合わせる（ステップＳ４）。ここで、ユーザに問い合わせる手段としては、例えば出力制御部１７に接続されたテレビジョン受信装置１００のモニタ画面に問い合わせメッセージを表示してもよいし、テレビジョン受信装置１００に内蔵されたスピーカからアラーム音を出力してもよい。また、問い合わせメッセージの表示と、アラーム音の出力の両方を行うようにしてもよい。さらには、問い合わせメッセージを送受信部１９から携帯電話網を経由して特定の携帯端末Ａに送信するようにしてもよい。ただし、特定の携帯端末Ａのメールアドレスは、例えばコントローラ１４内部の図示しないメモリ部に予め登録しておくものとする。
【００４７】
このように、本実施例１では、ユーザが過去に録画したことのある番組が録画予約されているか否かをまず判断し、録画予約されていないと判断した場合にのみ、当該番組の録画予約を行うか否かを問い合わせる構成としたので、ユーザにとっては見たい番組を確実に録画予約することができるとともに、すでに録画予約している番組を重複して録画予約してしまうといった無駄な操作を防止することができる。
【実施例２】
【００４８】
本実施例２は、ＥＰＧ取得部２２により取得した番組ガイド情報に基づき、新規に放送が開始される番組について、録画予約されていない場合にはユーザに当該番組の録画予約を行うか否かを問い合わせる実施例である。
【００４９】
取得した番組ガイド情報には、その番組が新規に放送を開始されるものであるのか否かを判断する情報も含まれている。例えば、連続ドラマの場合には、放送回数が１回のものは新規の放送番組であると判断できる。
【００５０】
次に、このような番組ガイド情報を用いた本実施例２の録画予約の問い合わせ動作について、図４に示すフローチャートを参照して説明する。
【００５１】
コントローラ１４は、本装置の電源オフ状態であっても、ＥＰＧ取得部２２により取得した番組ガイド情報を１日に少なくとも１回は確認する。そして、その中に新規に放送が開始される番組が含まれているか否かを確認する（ステップＳ１１）。
【００５２】
その結果、その日に新規に放送される番組が含まれている場合（ステップＳ１１でＹｅｓと判断された場合）には、次に、その新規番組が録画予約されているか否かを確認する（ステップＳ１２）。
【００５３】
ここで、その新規番組がこの判断時点でまだ録画予約されていない場合（ステップＳ１２での判断がＮｏの場合）には、コントローラ１４は、次に、現在時刻がその新規番組の放送開始時刻より一定時間（例えば３時間等）前になったか否かを監視する（ステップＳ１３）。コントローラ１４は、新規番組が録画予約されるか、または現在時刻が新規番組の放送開始時刻の一定時間前になるまで、ステップＳ１２，ステップＳ１３の処理を繰り返す。
【００５４】
そして、放送開始時刻の一定時間前になるまでにユーザによって当該新規番組の録画予約が設定された場合（ステップＳ１２でＹｅｓと判断された場合）には、処理を終了する。
【００５５】
一方、録画予約されることなく一定時間前になると（ステップＳ１３でＹｅｓと判断されると）、コントローラ１４は、当該新規番組の録画予約を行うか否かをユーザに問い合わせる（ステップＳ１４）。ユーザに問い合わせる手段としては、上記実施例１と同様、出力制御部１７に接続されたテレビジョン受信装置１００のモニタ画面に問い合わせメッセージを表示してもよいし、テレビジョン受信装置１００に内蔵されたスピーカからアラーム音を出力してもよい。また、問い合わせメッセージの表示と、アラーム音の出力の両方を行うようにしてもよい。さらには、問い合わせメッセージを送受信部１９から携帯電話網を経由して特定の携帯端末Ａに送信するようにしてもよい。ただし、特定の携帯端末Ａのメールアドレスは、例えばコントローラ１４内部の図示しないメモリに予め登録しておくものとする。
【００５６】
このように、本実施例２では、新規に放送が開始される番組が録画予約されているか否かをまず判断し、録画予約されていないと判断した場合にのみ、当該番組の録画予約を行うか否かを問い合わせる構成としたので、新規に始まる番組を見逃してしまう、若しくは録画し忘れてしまうといったことを防止することができる。
【００５７】
＜実施形態２＞
図５は、本発明の録画装置の実施形態２に係るＨＤ（ハードディスク）レコーダ１を内蔵したテレビジョン受信装置１００の電気的構成を示すブロック図である。
【００５８】
本実施形態２では、上記実施形態１の録画履歴記憶部２３の代わりに視聴履歴記憶部２４が設けられており、かつ、テレビジョン受信装置１００のコントローラ１０１とＨＤレコーダ１のコントローラ１４とがバス通信１２１によって双方向に接続された構成となっている。なお、その他の構成は上記実施形態１と同じであるので、ここでは同符号を付している。
【００５９】
ここで、本実施形態２では、テレビジョン受信装置１００のコントローラ１０１とＨＤレコーダ１のコントローラ１４とがバス通信１２１によって双方向に接続されていることから、このバス通信１２１を利用して、テレビジョン受信装置１００での番組視聴時の図示しないテレビ側リモコンの操作によるチャンネル切り替え情報を、テレビジョン受信装置１００のコントローラ１０１からＨＤレコーダ１のコントローラ１４に随時送信する構成とし、ＨＤレコーダ１のコントローラ１４においてテレビジョン受信装置１００の視聴履歴を収集し、視聴履歴記憶部２４に記憶する構成としている。
【００６０】
すなわち、視聴履歴記憶部２４は、ユーザにより過去に視聴された番組の情報を記憶する。この視聴履歴記憶部２４は、不揮発性メモリである例えばＥＥＰＲＯＭやフラッシュメモリによって構成されている。
【００６１】
ここで、視聴回数のカウント条件について説明する。
【００６２】
例えば３０分番組の場合、ユーザは、これをそのまま３０分連続して視聴している場合もあれば、ときどき別のチャンネルに切り替えながら、また元のチャンネルに戻って最後まで視聴するといった場合もあり、ユーザによって視聴のスタイルは様々である。そのため、本実施形態２では、その番組を視聴したのか、視聴していないのかを、視聴時間によって判断する構成としている。
【００６３】
例えば、３０分番組の場合は、合計して１０分以上視聴していればその番組を視聴したと判断し、１時間番組の場合は、合計して２０分以上視聴していればその番組を視聴したと判断する。すなわち、本実施形態２では、その番組の放送時間の約３０％以上の時間をそのチャンネルに合わせて視聴していれば、その番組を視聴したものと判断して、視聴履歴記憶部２４に記憶するようにしている。
【００６４】
図６は、視聴履歴記憶部２４に記憶されている視聴履歴情報のデータ構成例を示している。視聴履歴情報は、視聴番組の番組名、及び視聴回数からなっている。視聴回数は、ユーザが連続ドラマを毎週視聴しているような場合には、視聴回数も毎週プラス１されていくことになる。この例では、番組名Ｇの視聴回数が３回、番組名Ｈの視聴回数が１回、番組名Ｉの視聴回数が５回、番組名Ｊの視聴回数が２回、・・・、等となっている。コントローラ１４は、テレビジョン受信装置１００によって番組が視聴されるたびに、上記の視聴履歴情報を視聴履歴記憶部２４に記憶する。
【００６５】
次に、図６に示す視聴履歴記憶部２４の視聴履歴情報を用いた本実施形態２の録画予約の問い合わせ動作について、図７に示すフローチャートを参照して説明する。
【００６６】
コントローラ１４は、本装置の電源オフ状態であっても、テレビジョン受信装置１００からのチャンネル情報に基づいて、視聴履歴情報を常に収集している。そして、少なくとも１日に１回、ＥＰＧ取得部２２により番組ガイド情報を取得し（ステップＳ２１）、その取得した番組ガイド情報に基づき、番組ガイド情報に含まれている当日の放送番組名と、視聴履歴記憶部２４に記憶されている視聴番組との比較を行うことによって、視聴履歴記憶部２４に記憶されている番組名の中で、過去の視聴回数が予め設定された一定回数（例えば、３回等）以上視聴されている番組が当日（本日）放送されるか否かを確認する（ステップＳ２２，Ｓ２３）。
【００６７】
その結果、当日に放送される番組が視聴履歴の中に含まれている場合（ステップＳ２３でＹｅｓと判断された場合）には、次に、その同じ番組が今回も録画予約されているか否かを確認する（ステップＳ２４）。
【００６８】
例えば、当日放送される番組が番組名Ｉである場合、図６に示す視聴履歴情報から、この番組名Ｉの番組が一定回数以上視聴されているため、ステップＳ２３での判断がＹｅｓとなり、ステップＳ２４の処理に移行することになる。
【００６９】
そして、ステップＳ２４において録画予約されていないと判断（Ｎｏと判断）された場合には、次に、現在時刻がその番組の放送開始時刻より一定時間（例えば３時間等）前になったか否かを監視し（ステップＳ２５）、一定時間前になるまで、ステップＳ２４，ステップＳ２５の処理を繰り返す。
【００７０】
そして、一定時間前になるまでにユーザによって同じ番組の録画予約が設定された場合（ステップＳ２４でＹｅｓと判断された場合）には、処理を終了する。一方、録画予約されることなく一定時間前になると（ステップＳ２５でＹｅｓと判断されると）、コントローラ１４は、同じ番組の録画予約を行うか否かをユーザに問い合わせる（ステップＳ２６）。
【００７１】
ユーザに問い合わせる手段としては、上記実施例１と同様、テレビジョン受信装置１００のモニタ画面に問い合わせメッセージを表示してもよいし、テレビジョン受信装置１００に内蔵されたスピーカからアラーム音を出力してもよい。また、問い合わせメッセージの表示と、アラーム音の出力の両方を行うようにしてもよい。さらには、問い合わせメッセージを送受信部１９から携帯電話網を経由して特定の携帯端末Ａに送信するようにしてもよい。ただし、特定の携帯端末Ａのメールアドレスは、例えばコントローラ１４内部の図示しないメモリに予め登録しておくものとする。
【００７２】
このように、本実施形態２では、過去に一定回数以上視聴した番組が今回、録画予約されているか否かをまず判断し、録画予約されていないと判断した場合にのみ、当該番組の録画予約を行うか否かを問い合わせる構成としたので、毎週見ている番組を見逃してしまう、若しくは録画し忘れてしまうといったことを防止することができる。
【００７３】
なお、上記実施形態１及び実施形態２では、特定の携帯端末Ａに問い合わせメッセージを送信することで、外出先のユーザに録画予約の示唆を通知する構成としているが、さらに、この問い合わせメッセージに応答して携帯端末Ａから録画予約指示が送られてきた場合には、コントローラ１４は、当該番組の録画予約を自動で設定するように構成してもよい。これにより、その番組の放送時間帯にユーザが外出している場合であっても、その番組を確実に録画することが可能となる。
【図面の簡単な説明】
【００７４】
【図１】本発明の録画装置の実施形態１であるＨＤレコーダの電気的構成を示すブロック図である。
【図２】録画履歴記憶部に記憶されている録画履歴情報のデータ構成例を示す説明図である。
【図３】録画履歴記憶部の録画履歴情報を用いた実施例１の録画予約の問い合わせ動作を示すフローチャートである。
【図４】番組ガイド情報を用いた実施例２の録画予約の問い合わせ動作を示すフローチャートである。
【図５】本発明の録画装置の実施形態２に係るＨＤレコーダを内蔵したテレビジョン受信装置の電気的構成を示すブロック図である。
【図６】視聴履歴記憶部に記憶されている視聴履歴情報のデータ構成例を示す説明図である。
【図７】視聴履歴記憶部の視聴履歴情報を用いた実施形態２に係る録画予約の問い合わせ動作を示すフローチャートである。
【符号の説明】
【００７５】
１  ＨＤレコーダ
１１  受診部
１２  入力制御部
１３  Ａ／Ｄ変換部
１４  コントローラ
１４ａ  ＣＰＵ
１４ｂ  ＲＡＭ
１４ｃ  ＲＯＭ
１５  ＨＤドライブ
１６  Ｄ／Ａ変換部
１７  出力制御部
１８  入力部
１９  送受信部
２０  メモリ部
２１  時計部
２２  ＥＰＧ取得部
２３  録画履歴記憶部
２４  記録履歴記憶部
１００  テレビジョン受信装置
１０１  コントローラ
１２１  バス通信
【図１】
2007228126.tif 000003
【図２】
2007228126.tif 000004
【図３】
2007228126.tif 000005
【図４】
2007228126.tif 000006
【図５】
2007228126.tif 000007
【図６】
2007228126.tif 000008
【図７】
2007228126.tif 000009